(57)【要約】【課題】画像を投射する前の調整を迅速に行うプロジェクター装置を提供する。【解決手段】プロジェクター装置１００は、光源部１１１から出射する光束により画像を投射する表示部１１０と、表示部１１０が投射する画像を撮影する撮影部１４０と、表示部１１０が投射する画像の画質を補正する補正制御部１６３と、光源部１１１の出力が変更されてから経過した経過時間を計測し、経過時間における画像の特性値の変動を示す変動情報に基づいて、撮影部１４０が調整用パターンを撮影した経過時間から調整用パターンの特性値を補正し、補正した特性値に基づいて補正制御部１６３に画質を補正させる制御部１６０と、を備える。【選択図】図１
2018032923.tif 000002
【特許請求の範囲】
【請求項１】
光源から出射する光束により画像を投射する投射部と、
前記投射部が投射する前記画像を撮影する撮影部と、
前記投射部が投射する前記画像の画質を補正する補正部と、
前記光源の出力が変更されてから経過した経過時間を計測し、前記経過時間における前記画像の特性値の変動を示す変動情報に基づいて、前記撮影部が調整用画像を撮影した前記経過時間から前記調整用画像の前記特性値を補正し、補正した前記特性値に基づいて前記補正部に前記画質を補正させる制御部と、を備えることを特徴とするプロジェクター装置。
【請求項２】
請求項１に記載のプロジェクター装置において、
前記制御部は、色特性が異なる複数の前記調整用画像を前記投射部に順次投射させ、前記撮影部に撮影させた複数の前記調整用画像における前記特性値を算出し、前記調整用画像が撮影された前記経過時間における前記変動を前記変動情報に基づいて取得し、取得した前記変動に基づいて前記特性値を前記色特性毎に補正し、補正した前記特性値に基づいて前記画質を補正するための調整値を算出することを特徴とするプロジェクター装置。
【請求項３】
請求項２に記載のプロジェクター装置において、
前記補正部は、算出された前記調整値に基づいて、前記投射部が投射する前記画像の輝度、色度および階調の少なくとも１つを補正することを特徴とするプロジェクター装置。
【請求項４】
請求項１乃至３のいずれか１項に記載のプロジェクター装置において、
前記変動情報は、前記経過時間と、前記特性値の変動と、の関係を示す数式および数値テーブルの少なくとも１つであることを特徴とするプロジェクター装置。
【請求項５】
請求項４に記載のプロジェクター装置において、
前記数式は、２次近似式であることを特徴とするプロジェクター装置。
【請求項６】
光源から出射する光束により画像を投射する投射部と、
前記投射部が投射する前記画像を撮影する撮影部と、
前記投射部が投射する前記画像の画質を補正する補正部と、
前記光源の出力が変更されてから経過した経過時間を計測し、第１の経過時間および第２の経過時間に基準画像を前記投射部に投射させて前記撮影部に撮影させ、前記第１の経過時間を過ぎて前記第２の経過時間に至るまでの第３の経過時間に、調整用画像を前記投射部に投射させて前記撮影部に撮影させ、前記第１の経過時間から前記第２の経過時間に至る前記基準画像の特性値の変動を示す変動情報に基づいて、前記第３の経過時間における前記調整用画像の第３の特性値を補正し、補正した前記第３の特性値に基づいて前記補正部に前記画質を補正させる制御部と、を備えることを特徴とするプロジェクター装置。
【請求項７】
請求項６に記載のプロジェクター装置において、
前記変動情報は、前記第１の経過時間に撮影された前記基準画像の第１の特性値と、前記第２の経過時間に撮影された前記基準画像の第２の特性値と、の変化量を近似した１次近似式であり、
前記制御部は、前記変動情報を前記第３の経過時間に応じて補間することにより前記第３の特性値を補正することを特徴とするプロジェクター装置。
【請求項８】
請求項１乃至７のいずれか１項に記載のプロジェクター装置において、
他のプロジェクター装置と通信する通信部を備え、
前記制御部は、補正した前記特性値に基づいて前記補正部で前記画質を補正したか、否かの情報を前記他のプロジェクター装置との間で通信することを特徴とするプロジェクター装置。
【請求項９】
画像を投射するための光源の出力が変更されてから経過した経過時間を計測し、前記経過時間における前記画像の特性値の変動を示す変動情報に基づいて、調整用画像を撮影した前記経過時間から前記調整用画像の前記特性値を補正し、補正した前記特性値に基づいて前記画像の画質を補正することを特徴とするプロジェクター装置の制御方法。
【請求項１０】
画像を投射するための光源の出力が変更されてから経過した経過時間を計測し、第１の経過時間および第２の経過時間に基準画像を投射して撮影し、前記第１の経過時間を過ぎて前記第２の経過時間に至るまでの第３の経過時間に、調整用画像を投射して撮影し、前記第１の経過時間から前記第２の経過時間に至る前記基準画像の特性値の変動を示す変動情報に基づいて、前記第３の経過時間における前記調整用画像の第３の特性値を補正し、補正した前記第３の特性値に基づいて前記画像の画質を補正することを特徴とするプロジェクター装置の制御方法。
【発明の詳細な説明】
【技術分野】
【０００１】
本発明は、プロジェクター装置およびプロジェクター装置の制御方法に関する。
【背景技術】
【０００２】
従来、光源部と、光源部から出射される光束を変調手段で変調して画像情報に応じた画像を形成する光変調装置と、形成された画像をスクリーン等に拡大投射する投射光学装置と、を備えたプロジェクター装置が知られている。
例えば、下記特許文献１に示すようなプロジェクター装置では、起動してコンテンツを投射する前に、調整処理として、光源部の出力を変化させてスクリーンに投射されるテスト画像の輝度を粗調整し、一定時間が経過した後に光変調装置の変調手段の設定を変更することにより輝度や色特性の微調整を行っている。
【先行技術文献】
【特許文献】
【０００３】
【特許文献１】特開２００２−７２３５９号公報
【発明の概要】
【発明が解決しようとする課題】
【０００４】
しかしながら、光源部の出力を調整してから出力が安定するまでに要する時間は、出力の調整量や、プロジェクター装置を起動させてから経過した経過時間等により変動するため、必要以上に一定時間を長く設定する必要があり、調整処理を短時間で行うことができなかった。
本発明は、上述の課題に鑑みてなされたものであり、プロジェクター装置を使用する際の調整を迅速に行うことを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかるプロジェクター装置は、光源から出射する光束により画像を投射する投射部と、前記投射部が投射する前記画像を撮影する撮影部と、前記投射部が投射する前記画像の画質を補正する補正部と、前記光源の出力が変更されてから経過した経過時間を計測し、前記経過時間における前記画像の特性値の変動を示す変動情報に基づいて、前記撮影部が調整用画像を撮影した前記経過時間から前記調整用画像の前記特性値を補正し、補正した前記特性値に基づいて前記補正部に前記画質を補正させる制御部と、を備えることを特徴とする。
【０００７】
このような構成によれば、光源の出力が変更されてから経過した経過時間を計測し、経過時間における画像の特性値の変動を示す変動情報に基づいて、撮影部が調整用画像を撮影した経過時間から調整用画像の特性値を補正し、補正した特性値に基づいて画質を補正するため、光源の出力を変化させた後、画質を補正するために一定時間が経過するまで待機する必要がないため、プロジェクター装置を短時間で調整できる。
【０００８】
［適用例２］
上記適用例にかかるプロジェクター装置において、前記制御部は、色特性が異なる複数の前記調整用画像を前記投射部に順次投射させ、前記撮影部に撮影させた複数の前記調整用画像における前記特性値を算出し、前記調整用画像が撮影された前記経過時間における前記変動を前記変動情報に基づいて取得し、取得した前記変動に基づいて前記特性値を前記色特性毎に補正し、補正した前記特性値に基づいて前記画質を補正するための調整値を算出することが好ましい。
【０００９】
このような構成によれば、色特性が異なる複数の調整用画像の特性値を算出し、調整用画像が撮影された経過時間における変動を変動情報に基づいて取得し、取得した変動に基づいて特性値を色特性毎に補正し、補正した特性値に基づいて画質を補正するための調整値を算出するため、色特性が異なる複数の調整用画像から画質を補正するための調整値を迅速に算出できる。
【００１０】
［適用例３］
上記適用例にかかるプロジェクター装置において、前記補正部は、算出された前記調整値に基づいて、前記投射部が投射する前記画像の輝度、色度および階調の少なくとも１つを補正することが好ましい。
【００１１】
このような構成によれば、投射部が投射する画像の輝度、色度および階調の少なくとも１つを補正することで、色の再現性や視認性に優れた画像を投射できる。
【００１２】
［適用例４］
上記適用例にかかるプロジェクター装置において、前記変動情報は、前記経過時間と、前記特性値の変動と、の関係を示す数式および数値テーブルの少なくとも１つであることが好ましい。
【００１３】
このような構成によれば、変動情報は、経過時間と、特性値の変動と、の関係を示す数式および数値テーブルの少なくとも１つであるため、容易に参照できる。
【００１４】
［適用例５］
上記適用例にかかるプロジェクター装置において、前記数式は、２次近似式であることが好ましい。
【００１５】
このような構成によれば、経過時間と、特性値の変動と、の関係を２次近似式で詳細に近似できる。
【００１６】
［適用例６］
本適用例にかかるプロジェクター装置は、光源から出射する光束により画像を投射する投射部と、前記投射部が投射する前記画像を撮影する撮影部と、前記投射部が投射する前記画像の画質を補正する補正部と、前記光源の出力が変更されてから経過した経過時間を計測し、第１の経過時間および第２の経過時間に基準画像を前記投射部に投射させて前記撮影部に撮影させ、前記第１の経過時間を過ぎて前記第２の経過時間に至るまでの第３の経過時間に、調整用画像を前記投射部に投射させて前記撮影部に撮影させ、前記第１の経過時間から前記第２の経過時間に至る前記基準画像の特性値の変動を示す変動情報に基づいて、前記第３の経過時間における前記調整用画像の第３の特性値を補正し、補正した前記第３の特性値に基づいて前記補正部に前記画質を補正させる制御部と、を備えることを特徴とする。
【００１７】
このような構成によれば、第１の経過時間に撮影された基準画像の第１の特性値と、第２の経過時間に撮影された基準画像の第２の特性値と、の変動を示す変動情報に基づいて第３の経過時間における調整用画像の第３の特性値を補正し、補正した第３の特性値に基づいて画質を補正するため、光源の出力を変化させた後、画質を補正するために一定時間が経過するまで待機する必要がないため、プロジェクター装置を短時間で調整できる。
【００１８】
［適用例７］
上記適用例にかかるプロジェクター装置において、前記変動情報は、前記第１の経過時間に撮影された前記基準画像の第１の特性値と、前記第２の経過時間に撮影された前記基準画像の第２の特性値と、の変化量を近似した１次近似式であり、前記制御部は、前記変動情報を前記第３の経過時間に応じて補間することにより前記第３の特性値を補正することが好ましい。
【００１９】
このような構成によれば、第１の経過時間に撮影された基準画像の第１の特性値と、第２の経過時間に撮影された基準画像の第２の特性値と、の変化量を近似し、第３の経過時間に応じて補間することにより第３の特性値を補正するため、精度良く補正できる。
【００２０】
［適用例８］
上記適用例にかかるプロジェクター装置において、他のプロジェクター装置と通信する通信部を備え、前記制御部は、補正した前記特性値に基づいて前記補正部で前記画質を補正したか、否かの情報を前記他のプロジェクター装置との間で通信することが好ましい。
【００２１】
このような構成によれば、複数のプロジェクター装置において、補正部での画質の補正情報を共有し、１つの画像を分割して複数のプロジェクター装置で協調して投射できる。
【００２２】
［適用例９］
本適用例にかかるプロジェクター装置の制御方法は、画像を投射するための光源の出力が変更されてから経過した経過時間を計測し、前記経過時間における前記画像の特性値の変動を示す変動情報に基づいて、調整用画像を撮影した前記経過時間から前記調整用画像の前記特性値を補正し、補正した前記特性値に基づいて前記画像の画質を補正することを特徴とする。
【００２３】
このような方法によれば、光源の出力が変更されてから経過した経過時間を計測し、経過時間における画像の特性値の変動を示す変動情報に基づいて、調整用画像を撮影した経過時間から調整用画像の特性値を補正し、補正した特性値に基づいて画質を補正するため、光源の出力を変化させた後、画質を補正するために一定時間が経過するまで待機する必要がないため、プロジェクター装置を短時間で調整できる。
【００２４】
［適用例１０］
本適用例にかかるプロジェクター装置の制御方法は、画像を投射するための光源の出力が変更されてから経過した経過時間を計測し、第１の経過時間および第２の経過時間に基準画像を投射して撮影し、前記第１の経過時間を過ぎて前記第２の経過時間に至るまでの第３の経過時間に、調整用画像を投射して撮影し、前記第１の経過時間から前記第２の経過時間に至る前記基準画像の特性値の変動を示す変動情報に基づいて、前記第３の経過時間における前記調整用画像の第３の特性値を補正し、補正した前記第３の特性値に基づいて前記画像の画質を補正することを特徴とする。
【００２５】
このような構成によれば、第１の経過時間に撮影された基準画像の第１の特性値と、第２の経過時間に撮影された基準画像の第２の特性値と、の変動を示す変動情報に基づいて第３の経過時間における調整用画像の第３の特性値を補正し、補正した第３の特性値に基づいて画質を補正するため、光源の出力を変化させた後、画質を補正するために一定時間が経過するまで待機する必要がないため、プロジェクター装置を短時間で調整できる。
【図面の簡単な説明】
【００２６】
【図１】実施形態１に係るプロジェクター装置の構成を示す構成図。
【図２】実施形態１に係るプロジェクター装置が画像を投射する場合に実行される調整処理の流れを示すフローチャート。
【図３】実施形態１に係るパネル特性を補正する処理の詳細を説明するフローチャート。
【図４】実施形態１において撮影部が撮影した撮影値の補正を説明する図。
【図５】実施形態２に係るパネル特性を補正する処理の詳細を説明するフローチャート。
【図６】実施形態２において撮影部が撮影した撮影値の補正を説明する図。
【発明を実施するための形態】
【００２７】
以下、本発明の実施形態について図面を参照して説明する。
【００２８】
（実施形態１）
以下、図面を参照して本発明の実施形態１について説明する。図１は、プロジェクター装置１００の構成を示す構成図である。
このプロジェクター装置１００には、画像供給装置２００が接続される。画像供給装置２００は、プロジェクター装置１００に画像信号を供給する装置である。プロジェクター装置１００は、画像供給装置２００から供給されるコンテンツの画像信号、又は、後述する記憶部１７０に事前に記憶された画像データに基づく画像をスクリーンＳＣに投射する。画像供給装置２００には、例えば、ビデオ再生装置、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等が用いられる。
【００２９】
プロジェクター装置１００は、画像入力部１５１を備える。画像入力部１５１は、ケーブルを接続するコネクター及びインターフェイス回路（いずれも図示略）を備え、ケーブルを介して接続された画像供給装置２００から供給される画像信号を入力する。画像入力部１５１は、入力された画像信号を画像データに変換して画像処理部１５２に出力する。
画像入力部１５１が備えるインターフェイスは、例えば、Ｅｔｈｅｒｎｅｔ（登録商標）、ＩＥＥＥ１３９４、ＵＳＢ等のデータ通信用のインターフェイスであってもよい。また、画像入力部１５１のインターフェイスは、ＭＨＬ（登録商標）、ＨＤＭＩ（登録商標）、ＤｉｓｐｌａｙＰｏｒｔ等の画像データ用のインターフェイスであってもよい。
【００３０】
また、画像入力部１５１は、コネクターとして、アナログ映像信号が入力されるＶＧＡ端子や、デジタル映像データが入力されるＤＶＩ（Digital Visual Interface）端子を備える構成であってもよい。さらに、画像入力部１５１は、Ａ／Ｄ変換回路を備え、ＶＧＡ端子を介してアナログ映像信号が入力された場合、Ａ／Ｄ変換回路によりアナログ映像信号を画像データに変換し、画像処理部１５２に出力する。
プロジェクター装置１００は、光学的な画像の形成を行い、スクリーンＳＣに画像を投射（表示）する表示部（投射部）１１０を備える。表示部１１０は、光源としての光源部１１１、光変調装置１１２及び投射光学系１１３を備える。
【００３１】
光源部１１１は、キセノンランプ、超高圧水銀ランプ、ＬＥＤ（Light Emitting Diode）又はレーザー光源等の光源を備える。また、光源部１１１は、光源が出射した光束を光変調装置１１２に導くリフレクター及び補助リフレクターを備えていてもよい。更に、光源部１１１は、投射光の光学特性を高めるためのレンズ群、偏光板、又は光源が発した光の光量を光変調装置１１２に至る経路上で低減させる調光素子等（いずれも図示略）を備えていてもよい。
【００３２】
光源部１１１は、光源駆動部１２１により駆動される。光源駆動部１２１は、内部バス１８０に接続される。光源駆動部１２１は、制御部１６０の制御に従って、光源部１１１の光源を点灯及び消灯させる。
【００３３】
光変調装置１１２は、変調手段として、例えばＲＧＢの三原色に対応した３枚の液晶パネルを備える。光源部１１１が発する光はＲＧＢの３色の色光に分離され、対応する液晶パネルに入射される。３枚の液晶パネルは、透過型の液晶パネルであり、透過する光を変調して画像光を生成する。各液晶パネルを通過して変調された画像光は、クロスダイクロイックプリズム等の合成光学系によって合成され、投射光学系１１３に出射される。
【００３４】
光変調装置１１２には、光変調装置１１２の液晶パネルを駆動する光変調装置駆動部１２２が接続される。光変調装置駆動部１２２は、内部バス１８０に接続される。
光変調装置駆動部１２２は、画像処理部１５２から入力される表示画像データに基づいてＲ，Ｇ，Ｂの画像信号をそれぞれに生成する。光変調装置駆動部１２２は、生成したＲ，Ｇ，Ｂの画像信号に基づいて、光変調装置１１２の対応する液晶パネルを駆動し、各液晶パネルに画像を描画する。
【００３５】
投射光学系１１３は、光変調装置１１２により変調された画像光をスクリーンＳＣ方向へ投射して、スクリーンＳＣ上に結像させるレンズ群を備える。また、投射光学系１１３は、スクリーンＳＣの投射画像の拡大・縮小及び焦点の調整を行うズーム機構、フォーカスの調整を行うフォーカス調整機構を備えていてもよい。
【００３６】
プロジェクター装置１００は、操作パネル１３１及び処理部１３３を備える。処理部１３３は、内部バス１８０に接続される。
ユーザーインターフェイスとして機能する操作パネル１３１には、各種の操作キーや、液晶パネルにて構成された表示画面が表示される。処理部１３３は、操作パネル１３１に表示された操作キーが操作されると、操作されたキーに対応したデータを制御部１６０に出力する。また、処理部１３３は、制御部１６０の制御に従って、操作パネル１３１に各種画面を表示させる。
また、操作パネル１３１には、操作パネル１３１への接触を検出するタッチセンサーが重ね合わされて一体形成される。処理部１３３は、ユーザーの指等が接触した操作パネル１３１の位置を入力位置として検出し、検出した入力位置に対応したデータを制御部１６０に出力する。
【００３７】
また、プロジェクター装置１００は、ユーザーが使用するリモコン５から送信される赤外線信号を受光するリモコン受光部１３２を備える。リモコン受光部１３２は、処理部１３３に接続される。
リモコン受光部１３２は、リモコン５から送信される赤外線信号を受光する。処理部１３３は、リモコン受光部１３２が受光した赤外線信号をデコードして、リモコン５における操作内容を示すデータを生成し、制御部１６０に出力する。
【００３８】
プロジェクター装置１００は、撮影部１４０を備える。
撮影部１４０は、撮像光学系、ＣＣＤのような撮像素子及びインターフェイス回路等を有するカメラを備え、制御部１６０の制御に従って、投射光学系１１３の投射方向を撮影する。
撮影部１４０の撮影範囲、すなわち画角は、スクリーンＳＣとその周辺部とを含む範囲を撮影範囲とする画角である。撮影部１４０は、撮影した撮影画像データを制御部１６０に出力する。
【００３９】
プロジェクター装置１００は、通信部１７５を備える。通信部１７５は、データ通信を行うインターフェイスである。通信部１７５は、制御部１６０の制御に従い、通信を介して他のプロジェクター装置（図示は略す）との間で各種データを送受信できる。本実施形態１では、通信部１７５は、有線インターフェイスであっても良く、無線ＬＡＮやＢｌｕｅｔｏｏｔｈ（登録商標）等の無線通信を実行する無線通信インターフェイスであっても良い。
【００４０】
プロジェクター装置１００は、画像処理系を備える。画像処理系は、プロジェクター装置１００の全体を統括的に制御する制御部１６０を中心に構成され、この他に、画像処理部１５２、フレームメモリー１５５及び記憶部１７０を備える。制御部１６０、画像処理部１５２及び記憶部１７０は、内部バス１８０に接続される。
【００４１】
画像処理部１５２は、制御部１６０の制御に従って、画像入力部１５１から入力される画像データをフレームメモリー１５５に展開する。画像処理部１５２は、フレームメモリー１５５に展開された画像データに対して、例えば、解像度変換（スケーリング）処理又はリサイズ処理、歪曲収差の補正、形状補正処理、デジタルズーム処理、画像の色合いや明るさの調整等の処理を行う。画像処理部１５２は、制御部１６０により指定された処理を実行し、必要に応じて、制御部１６０から入力されるパラメーターを使用して処理を行う。また、画像処理部１５２は、上記のうち複数の処理を組み合わせて実行することも勿論可能である。
画像処理部１５２は、処理後の画像データをフレームメモリー１５５から読み出し、表示画像データとして光変調装置駆動部１２２に出力する。
【００４２】
制御部１６０は、何れも図示は略した、ＣＰＵ、ＲＯＭ及びＲＡＭ等のハードウェアを備える。ＲＯＭは、フラッシュＲＯＭ等の不揮発性の記憶装置であり、制御プログラムやデータを格納する。ＲＡＭは、ＣＰＵのワークエリアを構成する。ＣＰＵは、ＲＯＭや記憶部１７０から読み出した制御プログラムをＲＡＭに展開し、ＲＡＭに展開された制御プログラムを実行してプロジェクター装置１００の各部を制御する。
また、制御部１６０は、機能ブロックとして、投射制御部１６１と、撮影制御部１６２と、補正制御部１６３とを備える。これらの機能ブロックは、ＣＰＵと、ＲＯＭや記憶部１７０に記憶された制御プログラムと、が協働することで実現される。
【００４３】
投射制御部１６１は、表示部１１０における画像の表示態様を調整し、スクリーンＳＣへの画像の投射を制御する。
具体的には、投射制御部１６１は、画像処理部１５２を制御して、画像入力部１５１より入力された画像データに対する画像処理を実行させる。この際、投射制御部１６１は、画像処理部１５２が処理に必要なパラメーターを記憶部１７０から読み出して、画像処理部１５２に出力してもよい。
また、投射制御部１６１は、光源駆動部１２１を制御して光源部１１１の光源を点灯させ、光源部１１１に対して光源の輝度を指示する。
撮影制御部１６２は、撮影部１４０に撮影を実行させ、撮影部１４０により撮影される撮影画像データを取得する。
【００４４】
補正制御部（補正部）１６３は、光変調装置１１２の液晶パネルの変調特性（パネル特性）を補正し、プロジェクター装置１００が投射する投射画像の輝度、色度（例えば、色相及び彩度）や階調を少なくとも１つ含む画質を調整する。
記憶部１７０は、不揮発性の記憶装置であり、例えば、フラッシュメモリー、ＥＰＲＯＭ（Erasable Programmable ROM）、ＥＥＰＲＯＭ（Electrically EPROM）、ＨＤＤ（Hard Disc Drive）などの記憶装置により実現される。また、記憶部１７０は、表示部１１０によりスクリーンＳＣに投射させる画像データである変動検出パターンや、調整用パターンの画像データを記憶する。
【００４５】
尚、本実施形態１では、プロジェクター装置１００は、単体（１台）でスクリーンＳＣに画像を投射する態様を想定するが、これには限定されない。例えば、複数のプロジェクター装置が１つの画像を分担して投射する態様も想定できる。即ち、プロジェクター装置１００および他のプロジェクター装置（図示は略す）を一定方向、（例えば横方向）に隣接して配置し、プロジェクター装置１００および他のプロジェクター装置がスクリーンＳＣの隣接する領域に画像を分担して投射する。
この場合、プロジェクター装置１００および他のプロジェクター装置は、それぞれ画像供給装置２００と接続されており、例えば、プロジェクター装置１００がマスターとなり、画像供給装置２００から供給される画像に基づいて各プロジェクター装置が分担する領域の画像をスクリーンＳＣに投射する。
【００４６】
図２は、プロジェクター装置１００が画像を投射する場合に実行される調整処理（制御方法）の流れを示すフローチャートである。
プロジェクター装置１００が投射を開始すると、制御部１６０は、プロジェクター装置１００の設置位置に基づく補正を行う（ステップＳ２００）。
本実施形態１では、制御部１６０は、光源を駆動させ、所定のマーカーを有するテスト画像の投射を開始する。そして、制御部１６０は、スクリーンＳＣに投射されたテスト画像を撮影部１４０に撮影させ、撮影された画像からマーカーの座標位置を算出する。更に、制御部１６０は、座標位置に基づいて、設置位置により生じる投射画像の幾何変形等を補正する。
【００４７】
次に、制御部１６０は、光源の明るさを調整する（ステップＳ２１０）。この場合、制御部１６０は投射された画像の明るさを撮影された画像から取得し、投射制御部１６１が画像の明るさに基づいて光源の輝度を自動的に調整しても良く、また、ユーザーがリモコン５を操作し、操作指示に基づいて投射制御部１６１が光源の輝度を調整しても良い。
次に、制御部１６０は、パネル特性を補正し（ステップＳ２２０）、調整処理を終了する。
図３は、本実施形態１において、パネル特性を補正する処理（ステップＳ２２０）の詳細を説明するフローチャートである。また、図４は、撮影部１４０が撮影した画像の特性値として撮影値の補正を説明する図であり、この図４も参照しつつ、パネル特性を補正する処理（ステップＳ２２０）の詳細を説明する。尚、本実施形態１では、撮影値はＲＧＢ値を作用する。
この処理が開始されると、制御部１６０は、経過時間を計測するタイマーを初期化し（ステップＳ２３０）、光源の調整を終了してから経過する時間を計測する。
【００４８】
次に、制御部１６０は、所定時間が経過するまで待機する（ステップＳ２３２）。尚、図４は、横軸を経過時間（ｔ：例えば、分）とし、縦軸を撮影値（Ｙ）とし、光源を調整した場合の時間の経過に伴う撮影値（Ｙ）の変化を示している。一般的に、光源は出力が調整された直後、撮影値（Ｙ）が大きく減少（変動）することがあるため、本実施形態では、待機する所定時間（ｔ０）を１分以下に設定し、変動による影響を回避している。
次に、制御部１６０は、調整用パターン（調整用画像）を１つ選択する（ステップＳ２３４）。本実施形態１では、調整用パターンは、赤（Ｒ）、緑（Ｇ）、青（Ｂ）の色ごとに用意された単色のラスター画像であり、予め設定された階調ごとに作成され、記憶部１７０に記憶されている。例えば、８階調の場合、調整用パターンは２２個作成される。また、調整用パターンは、所定形状のマークを格子状の複数の格子点に配置した画像である。
【００４９】
次に、制御部１６０は、選択した調整用パターンをスクリーンＳＣに投射させ、スクリーンＳＣに投射された調整用パターンを撮影部１４０に撮影させる（ステップＳ２３６）。
次に、制御部１６０は、撮影した調整用パターンから撮影値を算出し、算出した撮影値を経過時間と関連付けて記憶部１７０に記憶する（ステップＳ２３８）。本実施形態１では、撮影した調整用パターンにおける各色毎の画像の格子点における色度や階調等の値を取得し、取得した値の平均値をそれぞれ算出し、撮影値とするが、これには限定されない。
次に、制御部１６０は、全て（ここでは２２個）の調整用パターンを撮影したか、否かを判定する（ステップＳ２４０）。
【００５０】
ここで、全ての調整用パターンを撮影していない場合（ステップＳ２４０でＮｏ）、制御部１６０は、記憶部１７０に記憶された調整用パターンの中から、色特性が異なる次の調整用パターンを選択し（ステップＳ２４２）、順次投射させるべくステップＳ２３６に戻る。
他方で、全ての調整用パターンを撮影した場合（ステップＳ２４０でＹｅｓ）、制御部１６０は、記憶部１７０に記憶した調整用パターンの撮影値毎に、経過時間を補正値に適用し、撮影値を補正する（ステップＳ２４４）。
ここで、図４に基づいて撮影値を補正する方法について説明する。本実施形態１では、補正値は、光源の明るさを調整してから経過した経過時間と撮影値の変動との関係を示す変動情報（近似式）から算出する。即ち、制御部１６０は、経過時間ｔ０以降の撮影値Ｙの変動を数式、即ち、下記式（１）に示す２次近似式で近似する。尚、本実施形態１では、２２個の撮影値Ｙが記憶されているが、図４では、２２個の中の４個の撮影値Ｙに限定して説明する。
【００５１】
【数１】
2018032923.tif 000003
【００５２】
式（１）におけるａ，ｂ，ｃは定数であり、補正を適用する条件、即ち、プロジェクター装置１００の機種毎や、光源の調整量に応じて予め決定され、記憶部１７０にテーブルとして記憶されている。また、変動情報は近似式のような数式には限定されず、数値テーブルの態様であっても良い。また、ユーザーがプロジェクター装置１００を使用する段階で、時間変動に伴う明るさの変動を撮影部１４０が検出し、検出結果に基づいて定数値を修正しても良い。
ここで、制御部１６０は、記憶部１７０に記憶された撮影値Ｙ１と、経過時間ｔ１とを読み出す。制御部１６０は、経過時間ｔ１を式（１）に適用した値と、最後に撮影した撮影値（Ｙ４）が得られる経過時間ｔ４を式（１）に適用した値とを下記式（２）に適用し、経過時間ｔ１での補正値Ｙ’１を算出する。補正値Ｙ’１は、経過時間ｔ４において光源の出力が安定した場合に得られであろう撮影値を示す。
【００５３】
【数２】
2018032923.tif 000004
【００５４】
次に、制御部１６０は、記憶部１７０に記憶された撮影値Ｙ２と、経過時間ｔ２とを読み出す。制御部１６０は、同様に、経過時間ｔ２を式（１）に適用した値と、経過時間ｔ４を式（１）に適用した値とを下記式（３）に適用し、経過時間ｔ２での補正値Ｙ’２を算出する。
【００５５】
【数３】
2018032923.tif 000005
【００５６】
次に、制御部１６０は、記憶部１７０に記憶された撮影値Ｙ３と、経過時間ｔ３とを読み出す。制御部１６０は、同様に、経過時間ｔ３を式（１）に適用した値と、経過時間ｔ４を式（１）に適用した値とを下記式（４）に適用し、経過時間ｔ３での補正値Ｙ’３を算出する。
【００５７】
【数４】
2018032923.tif 000006
【００５８】
次に、制御部１６０は、記憶部１７０に記憶された撮影値Ｙ４と、経過時間ｔ４とを読み出す。経過時間ｔ４は最後の撮影であるため、下記式（５）のように、補正値Ｙ’４は撮影値Ｙ４となる。
【００５９】
【数５】
2018032923.tif 000007
【００６０】
図３に戻り、制御部１６０は、補正値、即ち、補正した撮影値から調整値を算出する（ステップＳ２４６）。本実施形態１では、調整用パターン毎の補正値の平均値を算出し、調整値とする。尚、調整値は、予め決定した目標値と比較することにより算出しても良い。例えば、複数のプロジェクター装置で画像を分担して投射する場合、複数のプロジェクター装置の撮影値の差が基準値以下になるように決定しても良い。
次に、制御部１６０は、調整値に基づいてパネル特性を補正することで画質を補正し（ステップＳ２４８）、処理を終了する。
尚、各格子点から調整値を算出してパネル特性を補正する方法は、例えば、特開２００２−７２３５９号公報に開示された方法を採用できる。
【００６１】
以上述べた実施形態１によれば、以下のような効果を奏する。
（１）光源の出力を変更した場合、光源の出力が安定するまでの間に調整用パターンを順次投射して撮影し、撮影値を算出する。そして、光源の出力を変更してからの経過時間に基づいて撮影値を補正することにより、光源の出力が安定した場合に得られるであろう撮影値を取得し、取得した撮影値に基づいて光変調装置１１２の液晶パネルのパネル特性を補正する。従って、光源の出力が安定するまで一定時間待機することが不要になり、プロジェクター装置１００の調整に要する時間を短縮できる。
【００６２】
（２）撮影値の補正を行う近似式のパラメーターを予め記憶し、補正を適用する条件に応じてパラメーターを決定するため、適用条件に合致する近似式を採用できることから、撮影値を精度良く補正できる。
【００６３】
（実施形態２）
次に、本発明の実施形態２について説明する。実施形態１において、パネル特性を補正する処理（ステップＳ２２０）では、時間経過を考慮した撮影値Ｙの変化を適用条件に応じた２次関数で近似し、光源の出力が安定した場合に得られるように撮影値を補正したが、本実施形態２では、光源の時間変化を測定し、測定した時間変化を考慮して撮影値を補正する。
尚、図２に示した調整処理において、ステップＳ２００およびステップＳ２１０は実施形態１と同一であるため説明を省略する。また、実施形態２におけるプロジェクター装置１００の構成は、実施形態１における構成と同一であるため、プロジェクター装置１００の構成に関する説明は省略する。
【００６４】
図５は、本実施形態２において、パネル特性を補正する処理（ステップＳ２２０）の詳細を説明するフローチャートである。また、図６は、撮影部１４０が撮影した撮影値（ＲＧＢ値）の補正を説明する図であり、この図６も参照しつつ、パネル特性を補正する処理（ステップＳ２２０）の詳細を説明する。
この処理が開始されると、制御部１６０は、経過時間を計測するタイマーを初期化し（ステップＳ２５０）、光源の調整を終了してから経過する時間を計測する。
次に、制御部１６０は、所定時間が経過するまで待機する（ステップＳ２５２）。尚、図６は、横軸を経過時間（ｔ）とし、縦軸を撮影値（Ｙ）とし、光源を調整した場合の時間の経過に伴う撮影値（Ｙ）の変化を示している。一般的に、光源は出力が調整された直後、撮影値（Ｙ）が大きく減少（変動）することがあるため、本実施形態では、待機する所定時間ｔＡを１分以下に設定し、変動による影響を回避している。
【００６５】
次に、制御部１６０は、変動検出パターン（基準画像）を選択する（ステップＳ２５４）。尚、本実施形態２では、変動検出パターンは白色や、赤色、緑色、青色等のラスター画像を想定する。
次に、制御部１６０は、選択した変動検出パターンをスクリーンＳＣに投射させ、スクリーンＳＣに投射された変動検出パターンを撮影部１４０に撮影させる（ステップＳ２５６）。
【００６６】
次に、制御部１６０は、撮影した変動検出パターンから撮影値を算出し、算出した撮影値を経過時間と関連付けて記憶部１７０に記憶する（ステップＳ２５８）。
次に、制御部１６０は、調整用パターンを１つ選択する（ステップＳ２６０）。本実施形態２では、調整用パターンは、赤（Ｒ）、緑（Ｇ）、青（Ｂ）の色ごとに用意された単色のラスター画像であり、予め設定された階調ごとに作成され、記憶部１７０に記憶されている。例えば、８階調の場合、調整用パターンは２２個作成される。また、調整用パターンは、所定形状のマークを格子状の複数の格子点に配置した画像である。
【００６７】
次に、制御部１６０は、選択した調整用パターンをスクリーンＳＣに投射させ、スクリーンＳＣに投射された調整用パターンを撮影部１４０に撮影させる（ステップＳ２６２）。
次に、制御部１６０は、撮影した調整用パターンから撮影値を算出し、算出した撮影値を経過時間と関連付けて記憶部１７０に記憶する（ステップＳ２６４）。本実施形態２では、撮影した調整用パターンにおける各色毎の画像の格子点における色度や階調等の値を取得し、取得した値の平均値をそれぞれ算出し、撮影値とするが、これには限定されない。
次に、制御部１６０は、予定した調整用パターンを撮影したか、否かを判定する（ステップＳ２６６）。本実施形態２では、撮影値が安定する経過時間ｔＣまでに変動検出パターンを３回撮影し、次の変動検出パターンを撮影するまでに半数程度（１１種程度）の調整用パターンを撮影する態様を想定する。
【００６８】
ここで、予定した調整用パターンを撮影していない場合（ステップＳ２６６でＮｏ）、制御部１６０は、記憶部１７０に記憶された調整用パターンから次の調整用パターンを選択し（ステップＳ２６８）、ステップＳ２６２に戻る。
他方で、予定した調整用パターンを撮影した場合（ステップＳ２６６でＹｅｓ）、制御部１６０は、全ての変動検出パターンを撮影したか、否かを判定する（ステップＳ２７０）。
ここで、全ての変動検出パターンを撮影していない場合（ステップＳ２７０でＮｏ）、制御部１６０は、次の変動検出パターンを選択し（ステップＳ２７２）、ステップＳ２５６に戻る。尚、本実施形態２では、同一の変動検出パターンを３回撮影する態様を想定するが、異なる変動検出パターンに切り替えても良い。
【００６９】
他方で、全ての変動検出パターンを撮影した場合（ステップＳ２７０でＹｅｓ）、制御部１６０は、撮影した２つの変動検出パターンから調整用パターンの撮影値を補正する（ステップＳ２７４）。
ここで、図６に基づいて撮影値を補正する方法について説明する。図６では、光源の調整が終了してｔＡ（第１の経過時間）経過時、ｔＢ（第２の経過時間）経過時およびｔＣ経過時に、変動検出パターンを撮影し、撮影値（ＹＡ，ＹＢ，ＹＣ）をそれぞれ算出している。また、ｔＡが経過してｔＢに至るまでの間で、即ち、第３の経過時間に相当するｔ１、ｔ２、ｔ３およびｔ４において調整用パターンを撮影し、撮影値（Ｙ１，Ｙ２，Ｙ３，Ｙ４）をそれぞれ算出している。
【００７０】
更に、ｔＢが経過してｔＣに至るまでの間で、即ち、ｔ（ｎ−１）およびｔｎにおいて調整用パターンを撮影し、撮影値（Ｙ（ｎ−１），Ｙｎ）をそれぞれ算出している。
制御部１６０は、時間を置いて撮影した変動検出パターンの撮影値（例えば、ＹＡ（第１の特性値に相当），ＹＢ（第２の特性値に相当））間において、撮影値は時間経過に応じて比例すると想定し、差分（ＹＢ−ＹＡ）を経過時間で線形補間することにより、調整用パターンを撮影した経過時間ｔ１〜ｔ４における撮影値を算出する。尚、補間するための近似式（変動情報）は１次近似式には限定されず、多次の近似式であってもよい。
例えば、第３の特性値に相当するＹ１やＹ２は、下記式（６）および（７）により補正値Ｙ’１およびＹ’２を算出する。
【００７１】
【数６】
2018032923.tif 000008
【００７２】
【数７】
2018032923.tif 000009
【００７３】
同様に、制御部１６０は、調整用パターンを撮影した経過時間ｔ（ｎ−１）およびｔｎにおける撮影値Ｙ（ｎ−１）およびＹｎから下記式（８）および（９）により補正値Ｙ’（ｎ−１）およびＹ’ｎを算出する。
【００７４】
【数８】
2018032923.tif 000010
【００７５】
【数９】
2018032923.tif 000011
【００７６】
以上述べた実施形態２によれば、実施形態１で述べた効果（１）に加え、以下のような効果を奏する。
（３）所定の時間を置いて複数の変動検出パターンを撮影することに加え、複数の変動検出パターンを撮影する間に調整用パターンを撮影し、変動検出パターンの撮影値の変化量を線形補間して調整用パターンの撮影値を補正するため、光源の出力を変更したことによる変動に加えて、プロジェクター装置１００の周囲光や温度の変化や、光源の寿命による劣化等の影響を回避できる。
【００７７】
以上、本発明を図示した実施形態１および実施形態２に基づいて説明したが、本発明は、これらの実施形態に限定されるものではなく、以下に述べるような変形例も想定できる。
（１）プロジェクター装置１００は単体で投射する態様を想定するが、複数のプロジェクター装置で画像を分担して投射する場合、各プロジェクター装置において画質の補正が完了したことを各プロジェクター装置間で通信しても良い。
【符号の説明】
【００７８】
５…リモコン、１００…プロジェクター装置、１１０…表示部、１１１…光源部、１１２…光変調装置、１１３…投射光学系、１２１…光源駆動部、１２２…光変調装置駆動部、１３１…操作パネル、１３２…リモコン受光部、１３３…処理部、１４０…撮影部、１５１…画像入力部、１５２…画像処理部、１５５…フレームメモリー、１６０…制御部、１６１…投射制御部、１６２…撮影制御部、１６３…補正制御部、１７０…記憶部、１７５…通信部、１８０…内部バス、２００…画像供給装置。
【図１】
2018032923.tif 000012
【図２】
2018032923.tif 000013
【図３】
2018032923.tif 000014
【図４】
2018032923.tif 000015
【図５】
2018032923.tif 000016
【図６】
2018032923.tif 000017